(57)【要約】【課題】簡単な構成によって回転バケットから搬出されたボトル商品の転倒を防止することのできるボトル商品の自動販売機を提供する。【解決手段】ストッパー５０が各回転バケット３０と商品受け１２ｃの当接部１２ｅとの間に着脱自在に取付けられ、ストッパー５０は回転バケット３０から搬出されたボトル商品Ａの前方への移動を当接部１２ｅの手前で停止させることから、例えば載置部３１の傷や汚れ、またはボトル商品Ａの種類によってボトル商品Ａの底面と載置部３１との摩擦抵抗が小さくなる場合に、収容ラック１０にストッパー５０を取付けると、当接部１２ｅに当接する直前の移動速度と比較して遅い速度でボトル商品Ａがストッパー５０に当接し、ストッパー５０によってボトル商品Ａが停止する。従って、ストッパー５０に衝突した反動によってボトル商品Ａが前方に向かって転倒することがない。【選択図】図７
2007293506.tif 000002
【特許請求の範囲】
【請求項１】
前面を開口した自動販売機本体と、自動販売機本体の前面に設けられた開閉可能な前面扉と、前面扉の背面側に配置され、複数のボトル商品を前後方向に並ぶように起立状態で収容可能な商品通路が設けられた収容ラックと、商品通路の前方に配置されるとともに前面扉の背面側に配置されるように収容ラックに設けられ、周方向の一部に開口部を有する略筒状に形成された回転バケットと、回転バケットの前方に配置されるように収容ラックに設けられた当接部とを備え、回転バケットを開口部が後方を向く回転方向所定位置に配置すると、商品通路の各ボトル商品のうち最前のボトル商品が回転バケット内に収容され、回転バケットを開口部が前方を向く他の回転方向所定位置まで回転させると、回転バケット内のボトル商品が当接部に当接するまで自重によって前方に向かって移動するボトル商品の自動販売機において、
前記回転バケットと当接部との間に配置されるように収容ラックに着脱自在に取付けられ、回転バケットから搬出されたボトル商品の前方への移動を当接部に当接する前に停止させるストッパーを備えた
ことを特徴とするボトル商品の自動販売機。
【請求項２】
前記収容ラックの前端側の幅方向両側にそれぞれ複数の取付部を設け、
ストッパーを、収容ラックの幅方向に延びるように形成するとともに、両端を前記各取付部のうち任意の取付部に取付可能に形成した
ことを特徴とする請求項１記載のボトル商品の自動販売機。
【発明の詳細な説明】
【技術分野】
【０００１】
本発明は、飲料入りのビンやペットボトル等のボトル商品を起立状態で収容する収容ラックを有し、収容ラックの前面側に設けられた回転バケットによってボトル商品を１つずつ搬出するようにしたボトル商品の自動販売機に関するものである。
【背景技術】
【０００２】
従来、この種のボトル商品の自動販売機としては、前面を開口した自動販売機本体と、自動販売機本体の前面を開閉するガラス扉と、ガラス扉の背面側に配置されるように自動販売機本体に装着され、複数のボトル商品を起立状態で前後方向に並ぶように複数列収容可能に形成されるとともに、収容された各ボトル商品が底板の傾斜によって前方に向かって移動するように構成された箱状の収容ラックと、収容ラック内に収容された各ボトル商品を列ごとに仕切り、収容ラック内に複数の商品通路を形成する複数の仕切板と、各商品通路の前方にそれぞれ配置されるとともにガラス扉の背面側に配置されるように収容ラックに設けられ、周方向の一部に開口部を有する略円筒形状に形成された複数の回転バケットと、回転バケットの前方に配置されるように収容ラックに設けられた当接部とを備え、回転バケットを開口部が後方を向く回転方向所定位置に配置すると、商品通路内の各ボトル商品のうち最前のボトル商品が回転バケットの底面に載置され、回転バケットを開口部が前方を向く他の回転方向所定位置まで回転させると、回転バケット内のボトル商品が当接部に当接するまで前方に向かって移動し、当接部に当接して停止したボトル商品を利用者が取出すようにしたものが知られている（例えば、特許文献１参照。）。
【特許文献１】特開２０００−２９３７５１号公報
【発明の開示】
【発明が解決しようとする課題】
【０００３】
ところで、前記自動販売機では、回転バケットの底面にはボトル商品との接触により傷や汚れが生じ、傷や汚れによって回転バケットの底面とボトル商品の底面との摩擦抵抗が変化する。また、ボトル商品の底面と回転バケットの底面との摩擦抵抗はボトル商品の種類によって異なる。このため、回転バケットの底面の傷や汚れ、またはボトル商品の種類によってボトル商品の底面と回転バケットの底面との摩擦抵抗が小さくなる場合は、回転バケットから搬出されて前記当接部に当接する直前のボトル商品の移動速度が大きくなる。ここで、当接部はボトル商品の取出しを容易にするためにボトル商品の半分以下の高さ寸法を有するので、当接部に衝突する反動によってボトル商品が前方に倒れ、ボトル商品の上端側がガラス扉に衝突するという問題点があった。
【０００４】
また、近年では背の高いボトル商品が前記自動販売機で販売されるようになってきており、前述の問題が発生し易くなっている。
【０００５】
一方、回転バケットの底面の傷や汚れ、またはボトル商品の種類に応じて回転バケットの傾斜角度を調整することも考えられるが、回転バケットの傾斜角度を調整するためには複雑な機構が必要となり、製造コストが高くつくという問題点があった。
【０００６】
本発明は前記問題点に鑑みてなされたものであり、その目的とするところは、簡単な構成によって回転バケットから搬出されたボトル商品の転倒を防止することのできるボトル商品の自動販売機を提供することにある。
【課題を解決するための手段】
【０００７】
本発明は前記目的を達成するために、前面を開口した自動販売機本体と、自動販売機本体の前面に設けられた開閉可能な前面扉と、前面扉の背面側に配置され、複数のボトル商品を前後方向に並ぶように起立状態で収容可能な商品通路が設けられた収容ラックと、商品通路の前方に配置されるとともに前面扉の背面側に配置されるように収容ラックに設けられ、周方向の一部に開口部を有する略筒状に形成された回転バケットと、回転バケットの前方に配置されるように収容ラックに設けられた当接部とを備え、回転バケットを開口部が後方を向く回転方向所定位置に配置すると、商品通路の各ボトル商品のうち最前のボトル商品が回転バケット内に収容され、回転バケットを開口部が前方を向く他の回転方向所定位置まで回転させると、回転バケット内のボトル商品が当接部に当接するまで自重によって前方に向かって移動するボトル商品の自動販売機において、前記回転バケットと当接部との間に配置されるように収容ラックに着脱自在に取付けられ、回転バケットから搬出されたボトル商品の前方への移動を当接部に当接する前に停止させるストッパーを備えている。
【０００８】
これにより、ストッパーは回転バケットと当接部との間に着脱自在に取付けられ、ストッパーは回転バケットから搬出されたボトル商品の前方への移動を当接部の手前で停止させることから、例えば回転バケットの底面の傷や汚れ、またはボトル商品の種類によってボトル商品の底面と回転バケットとの摩擦抵抗が小さくなる場合に、収容ラックにストッパーを取付けると、当接部に当接する直前の移動速度と比較して遅い速度でボトル商品がストッパーに当接し、ストッパーによってボトル商品が停止する。
【発明の効果】
【０００９】
本発明によれば、回転バケットにストッパーを取付けると、当接部に当接する直前の移動速度と比較して遅い速度でボトル商品がストッパーに当接し、ストッパーによってボトル商品が停止するので、ストッパーに衝突した反動によってボトル商品が前方に向かって転倒することがない。即ち、簡単な構成によって回転バケットから搬出されたボトル商品の転倒を防止することができ、前面扉の傷付きを効率的に防止することができる。
【発明を実施するための最良の形態】
【００１０】
図１乃至図７は本発明の一実施形態を示すもので、図１は自動販売機の斜視図、図２は収容ラックの斜視図、図３は収容ラックの平面図、図４は取付板及び駆動機構を取外した状態の収容ラックの平面図、図５はボトル商品を載置した状態のスライダー、当接部材及び回転バケットの側面図、図６は回転バケット内にボトル商品が収容されている状態を示す図。図７は回転バケットからボトル商品が搬出された状態を示す図である。
【００１１】
この自動販売機は、前面を開口した自動販売機本体１と、自動販売機本体１の開口部を開閉可能な前面扉２と、前面扉２の背面側に配置されるように自動販売機本体１内に設けられ、複数のボトル商品Ａを前後方向に並ぶように起立状態で複数列収容可能な収容ラック１０とを備えている。また、収容ラック１０は、前後方向に延びるように設けられた複数のスライダー２０と、各スライダー２０の前方にそれぞれ配置されるように設けられた複数の回転バケット３０と、各回転バケット３０をそれぞれ回転させるための複数の駆動機構３５とを有する。また、以下の文章中の方向の説明は図１及び図２に示した方向に準ずる。また、以下の文章中の幅方向は図１及び図２に示した左右方向と一致している。
【００１２】
自動販売機本体１は矩形の箱状に形成されており、前面に紙幣投入口３、硬貨投入口４、商品選択ボタン５、硬貨取出口６などを有する。また、前面扉２は矩形板状のガラス板２ａを有し、右端が自動販売機本体１に支持されている。また、前面扉２の左端には開閉のための取手２ａが設けられている。
【００１３】
収容ラック１０は、前後方向に延びるように設けられた一対の側面板１１と、各側面板１１の前端に固定されている前面板１２と、各側面板１１の後端に固定されている背面板１３と、収容ラック１０内に収容された各ボトル商品Ａを列ごとに仕切り、収容ラック１０内に複数の商品通路１０ａを形成するための複数の仕切板１４とを有する。
【００１４】
各側面板１１の前端側には左右方向に貫通する第１取付孔１１ａがそれぞれ設けられ、各側面板１１の後端側には左右方向に貫通する複数の第２取付孔１１ｂがそれぞれ設けられるとともに、各第２取付孔１１ｂは互いに上下方向に間隔をおいて配置されている。また、各側面板１１にはそれぞれ前後方向に延びるレール１１ｃが設けられている。さらに、各側面板１１の前端側には左右方向に貫通する複数の第３取付孔１１ｄがそれぞれ設けられ、各第３取付孔１１ｄは互いに上下方向に間隔をおいて配列されるとともに、２列設けられている。各第３取付孔１１ｄは請求項に記載した取付部に相当する。
【００１５】
前面板１２の中央部には矩形状の開口部１２ａが設けられている。また、前面板１２の上端側の背面には取付板１２ｂが設けられ、取付板１２ｂは前面板１２の背面から後方に向かって延びるように形成されている。前面板１２の下端側の背面には商品受け１２ｃが設けられ、商品受け１２ｃは圧延鋼板を屈曲することにより形成されている。商品受け１２ｃは、前面板１２の背面に沿って上下方向に延びるように形成され、図示しないボルト等の締結部材によって前面板１２の背面に取付けられた取付部１２ｄと、取付部１２ｄの上端から後方に向かって延びる当接部１２ｅと、取付部１２ｄの下端から後方に向かって延びる受部１２ｆとを有する。
【００１６】
各スライダー２０は各商品通路１０ａごとに設けられ、商品通路１０ａ内に収容されたボトル商品Ａの底面を前方に向かって移動可能に支持している。また、スライダー２０には当接部材４０が前後方向に移動可能に係合しており、当接部材４０は図示しない付勢部材によって前方に向かって付勢されている。当接部材４０はスライダー２０に載置された各ボトル商品Ａのうち最後尾のボトル商品Ａに後方から当接可能であり、当接部材４０の前面はボトル商品Ａの側面に沿うように曲面状に形成されている。
【００１７】
スライダー２０の前端には第１切欠部２０ａが設けられ、スライダー２０の後端には第２切欠部２０ｂが設けられている。一方、収容ラック１０の各側面板１１の第１取付孔１１ａには棒状の前端支持部材６０の端部がそれぞれ挿通し、収容ラック１０の各側面板１１の第２取付孔１１ｂには棒状の後端支持部材７０の端部がそれぞれ挿通している。また、各スライダー２０の第１切欠部２０ａは前端支持部材６０にそれぞれ係合し、各スライダー２０の第２切欠部２０ｂは後端支持部材７０にそれぞれ係合している。即ち、各スライダー２０は各支持部材６０，７０を介して収容ラック１０に取付けられている。
【００１８】
各回転バケット３０は透明な合成樹脂材料から成る。また、各回転バケット３０は、スライダー２０の前端の上面より少し低い位置に設けられ、回転バケット３０の底面を形成する円板状の載置部３１と、載置部３１の上面から上方に延びるように設けられた略円筒形状の筒状部３２とを有する。
【００１９】
載置部３１の下面には円筒状のボス３１ａが設けられ、ボス３１ａは商品受け１２ｃの受部１２ｆに回転可能に支持されている。
【００２０】
筒状部３２の周方向の一部には開口部３２ａが設けられ、開口部３２ａは筒状部３２の外周面の一部が略半周に亘って開口することにより形成されている。筒状部３２の上面には円筒状のボス３２ｂが設けられ、ボス３２ｂは収容ラック１０の取付板１２ｂに回転可能に係合している。
【００２１】
各回転バケット３０は前面板１２の背面側に配置されている。また、各回転バケット３０の間にはそれぞれ第１フレーム３３が設けられ、幅方向両側の回転バケット３０と側面板１１との間にはそれぞれ第２フレーム３４が設けられている。これにより、各回転バケット３０の間に生ずる隙間が閉鎖されるとともに、幅方向両側の回転バケット３０と側面板１１との間に生ずる隙間が閉鎖されている。また、ボトル商品Ａを搬出しない待機時は、各回転バケット３０は開口部３２ａが後方を向く回転方向所定位置に配置されている。このため、前面板１２の背面側は各回転バケット３０の筒状部３２の外周面、各フレーム３３，３４、取付板１２ｂ及び商品受け１２ｃによって閉鎖され、収容ラック１０内のボトル商品Ａに対する悪戯等の不正を防止することができる。
【００２２】
また、各回転バケット３０と前面板１２の当接部１２ｅとの間には棒状のストッパー５０を着脱自在に取付可能であり、ストッパー５０は幅方向に延びるように形成されている。また、ストッパー５０の両端がそれぞれ各側面板１１の第３取付孔１１ｄに挿入されるとともに、ストッパー５０の両端に位置決めピン５１が着脱自在に取付けられることにより、ストッパー５０が収容ラック１０に着脱自在に取付けられる。また、ストッパー５０は位置決めピン５１によって各側面板１１に対して幅方向に位置決めされる。ここで、ストッパー５０の両端は各第３取付孔１１ｄのうち任意の第３取付孔１１ｄに取付可能に形成されている。
【００２３】
駆動機構３５は周知の電動モータから成り、収容ラック１０の取付板１２ｂに固定されている。また、駆動機構３５の図示しない駆動シャフトが回転バケット３０の上部に回転方向に係合している。
【００２４】
このように構成されたボトル商品の自動販売機において、収容ラック１０を自動販売機本体１に装着する場合は、収容ラック１０の各レール１１ｃを自動販売機本体１に設けられた図示しないレールに係合させる。これにより、収容ラック１０が自動販売機本体１に前方に引き出し可能に装着される。また、自動販売機本体１に装着された収容ラック１０の各スライダー２０が後端側から前端側に向かって下方に傾斜するように、収容ラック１０の各レール１１ｃの傾きが設定されている。
【００２５】
自動販売機本体１に装着された収容ラック１０に複数のボトル商品Ａを装填すると、各ボトル商品Ａは各商品通路１０ａ内に前後方向に並ぶように収容される。また、商品通路１０ａ内の各ボトル商品Ａはスライダー２０の傾斜によって前方に向かって移動する。また、各ボトル商品Ａがスライダー２０上を前方に向かって移動すると、各ボトル商品Ａのうち最前のボトル商品Ａが回転バケット３０の載置部３１に載置される（図５参照）。
【００２６】
ここで、各回転バケット３０は前面板１２の背面側に配置されるとともに、前面板１２には開口部１２ａが設けられ、前面板１２は前面扉２のガラス板２ａの背面側に配置されるとともに、各回転バケット３０は透明な合成樹脂材料から形成されているので、各回転バケット３０内に収容された商品を自動販売機本体１の前面側から視認することができる。
【００２７】
続いて、紙幣投入口３または硬貨投入口４に貨幣が投入され、商品選択ボタン５が操作されると、商品選択ボタン５の操作に応じた回転バケット３０が駆動機構３５によって回転し、回転バケット３０は開口部３２ａが前方を向く他の回転方向所定位置に配置される。これにより、回転バケット３０内のボトル商品Ａが前方に向かって滑って移動し始め、商品受け１２ｃの当接部１２ｅに当接することによりボトル商品Ａが停止する。また、当接部１２ｅに当接して停止したボトル商品Ａは前面扉２を開放することにより取出される。ここで、当接部１２ｅはボトル商品Ａの上端側が前面扉２のガラス板２ａに衝突しないように、ボトル商品Ａを前後方向所定位置で停止させることを目的として設けられている。また、当接部１２ｅはボトル商品Ａの取出性を容易にするために、ボトル商品Ａの半分以下の高さ寸法を有する。
【００２８】
しかしながら、各回転バケット３０の載置部３１にはボトル商品Ａとの接触によって傷や汚れが生じ、傷や汚れによって載置部３１とボトル商品Ａの底面との摩擦抵抗が変化する。また、ボトル商品Ａの種類によって載置部３１とボトル商品Ａの底面との摩擦抵抗が変化する。このため、載置部３１の傷や汚れ、またはボトル商品Ａの種類によってボトル商品Ａの底面と載置部３１との摩擦抵抗が小さくなる場合は、回転バケット３０から搬出されたボトル商品Ａの当接部１２ｅに当接する直前の移動速度が大きくなる。また、当接部１２ｅはボトル商品Ａの下側に当接するので、ボトル商品Ａが当接部１２ｅに衝突する反動によって前方に倒れるとともに、ボトル商品Ａの上端側が前面扉２のガラス板２ａに衝突し、ガラス板２ａに衝突による傷が生ずる。
【００２９】
そこで、前述のようにボトル商品Ａの底面と載置部３１との摩擦抵抗が小さい場合は、ストッパー５０を収容ラック１０に取付ける。ストッパー５０は各回転バケット３０と当接部１２ｅとの間に取付けられるので、ストッパー５０は回転バケット３０から搬出されたボトル商品Ａの前方への移動を当接部１２ｅに当接する前に停止させる。このため、当接部１２ｅに当接する直前の移動速度と比較して遅い速度でボトル商品Ａがストッパー５０に当接し、ストッパー５０によってボトル商品Ａが停止する。
【００３０】
このように、本実施形態によれば、ストッパー５０が各回転バケット３０と商品受け１２ｃの当接部１２ｅとの間に着脱自在に取付けられ、ストッパー５０は回転バケット３０から搬出されたボトル商品Ａの前方への移動を当接部１２ｅに当接する前に停止させることから、例えば回転バケット３０の底面の傷や汚れ、またはボトル商品Ａの種類によってボトル商品Ａの底面と回転バケット３０の載置部３１との摩擦抵抗が小さくなる場合に、収容ラック１０にストッパー５０を取付けると、当接部１２ｅに当接する直前の移動速度と比較して遅い速度でボトル商品Ａがストッパー５０に当接し、ストッパー５０によってボトル商品Ａが停止する。従って、ストッパー５０に衝突した反動によってボトル商品Ａが前方に向かって転倒することがなく、簡単な構成によって回転バケット３０から搬出されたボトル商品Ａの転倒を防止することができ、前面扉２の傷付きを効率的に防止することができる。
【００３１】
また、収容ラック１０の各側面板１１にはそれぞれ複数の第３取付孔１１ｄが設けられ、ストッパー５０は幅方向に延びるように形成されるとともに、ストッパー５０の両端は各側面板１１の各第３取付孔１１ｄのうち任意の第３取付孔１１ｄに取付可能に形成されているので、ボトル商品Ａの底面と載置部３１との摩擦抵抗の大きさやボトル商品Ａの形状に応じてストッパー５０の位置を変更することができ、ボトル商品Ａの転倒を確実に防止する上で極めて有利である。また、ストッパー５０の位置によってボトル商品Ａが停止する位置が変わるので、ストッパー５０の位置を変更する際に取出性を考慮することも可能である。
【００３２】
尚、本実施形態では、当接部材４０がスライダー２０に前後方向に移動可能に係合するとともに、当接部材４０が図示しない付勢部材によって前方に向かって付勢され、当接部材４０によってスライダー２０上の各ボトル商品Ａが前方に向かって付勢されるようにしたものを示したが、スライダー２０は後端から前端に向かって下方に傾斜しており、各ボトル商品Ａは自重によってスライダー２０上を前方に向かって移動するので、当接部材４０を設けないことも可能である。
【図面の簡単な説明】
【００３３】
【図１】本発明の一実施形態を示す自動販売機の斜視図
【図２】収容ラックの斜視図
【図３】収容ラックの平面図
【図４】取付板及び駆動機構を取外した状態の収容ラックの平面図
【図５】ボトル商品を載置した状態のスライダー、当接部材及び回転バケットの側面図
【図６】回転バケット内にボトル商品が収容されている状態を示す図
【図７】回転バケットからボトル商品が搬出された状態を示す図
【符号の説明】
【００３４】
１…自動販売機本体、２…前面扉、２ａ…ガラス板、１０…収容ラック、１０ａ…商品通路、１１…側面板、１１ａ…第１取付孔、１１ｂ…第２取付孔、１１ｃ…レール、１１ｄ…第３取付孔、１２…前面板、１２ａ…開口部、１２ｂ…取付板、１２ｃ…商品受け、１２ｄ…取付部、１２ｅ…当接部、１２ｆ…受部、１３…背面板、１４…仕切板、２０…スライダー、２０ａ…第１切欠部、２０ｂ…第２切欠部、３０…回転バケット、３１…載置部、３１ａ…ボス、３２…筒状部、３２ａ…開口部、３２ｂ…ボス、３３…第１フレーム、３４…第２フレーム、３５…駆動機構、４０…当接部材、５０…ストッパー、５１…位置決めピン、６０…前端支持部材、７０…後端支持部材、Ａ…ボトル商品。
【図１】
2007293506.tif 000003
【図２】
2007293506.tif 000004
【図３】
2007293506.tif 000005
【図４】
2007293506.tif 000006
【図５】
2007293506.tif 000007
【図６】
2007293506.tif 000008
【図７】
2007293506.tif 000009